(57)【特許請求の範囲】
【請求項１】
車両に搭乗した人の足を載置可能な使用位置、格納された格納位置、及び前記格納位置から前記使用位置に向かう方向と異なる方向にある解除位置の間で揺動可能な本体部と、
該本体部が揺動可能な軸部と、
前記本体部が前記格納位置にあるとき、当該本体部と係合してロックするロック部と、
前記本体部が前記格納位置から解除位置に揺動する際に初期位置から作動位置に移動して前記ロック部を作動させ、当該ロック部によるロックを解除し得る操作子と、
を備えたフットレストにおいて、
前記操作子は、前記軸部を中心として揺動可能とされるとともに、前記ロック部を作動し得るアーム部が突出形成されたことを特徴とするフットレスト。
【請求項２】
前記本体部は、当該本体部が前記格納位置から解除位置に揺動する過程で前記操作子とそれぞれ当接して前記作動位置まで移動させ得る複数の凸部が形成されたことを特徴とする請求項１記載のフットレスト。
【請求項３】
前記凸部は、前記本体部が前記解除位置から使用位置に揺動する過程で前記操作子とそれぞれ当接して前記初期位置まで移動させ得ることを特徴とする請求項２記載のフットレスト。
【請求項４】
前記本体部が前記格納位置から解除位置に揺動する際、前記操作子を移動させる前に当該本体部と当接して緩衝し得る緩衝部が配設されたことを特徴とする請求項１〜３の何れか１つに記載のフットレスト。
【発明の詳細な説明】
【技術分野】
【０００１】
本発明は、車両に搭乗した人の足を載置可能なフットレストに関するものである。
【背景技術】
【０００２】
二輪車の後部座席に着座した人の足を載置するために、従来より、フットレストを具備した車両が提案されている。かかる従来のフットレストとして、車両に搭乗した人の足を載置可能な使用位置、格納された格納位置、及び格納位置から使用位置に向かう方向と逆方向にある解除位置の間で揺動可能な本体部と、本体部が格納位置にあるとき、当該本体部と係合してロックするロック部と、本体部が格納位置から解除位置に揺動する際に初期位置から作動位置に移動してロック部を作動させ、当該ロック部によるロックを解除し得る略Ｃ字状に形成された操作子とを具備したものが挙げられる。
【０００３】
より具体的に説明すると、上記従来のフットレストは、ロック部及び操作子を収容したケース部を具備しており、当該ケース部には、本体部が揺動するための第１軸部に加え、本体部と連動する操作子を揺動させるための第２軸部が形成されていた。そして、本体部が第１軸部を中心に揺動して格納位置から解除位置に揺動する際、本体部の一部が操作子に当接することにより、当該操作子が第１軸部とは別個の第２軸部を中心に揺動し、ロック部を作動させ得るようになっていた。なお、かかる先行技術は、文献公知発明に係るものでないため、記載すべき先行技術文献情報はない。
【発明の概要】
【発明が解決しようとする課題】
【０００４】
しかしながら、フットレスト（特にケース部）の小型化を図りつつ操作子の作動を精度よく行わせるためには、本体部が第１軸部を中心に揺動して格納位置から解除位置に揺動する際、本体部と操作子との当接が精度よく行われる必要があるが、上記従来技術の如く、本体部が揺動するための軸部（第１軸部）と操作子が揺動するための軸部（第２軸部）とがそれぞれ別個に形成されていると、本体部と操作子との当接位置の精度出しが極めて困難となってしまうという問題があった。
【０００５】
本発明は、このような事情に鑑みてなされたもので、小型化を図りつつ容易に操作子を精度よく作動させることができるフットレストを提供することにある。
【課題を解決するための手段】
【０００６】
請求項１記載の発明は、車両に搭乗した人の足を載置可能な使用位置、格納された格納位置、及び前記格納位置から前記使用位置に向かう方向と異なる方向にある解除位置の間で揺動可能な本体部と、該本体部が揺動可能な軸部と、前記本体部が前記格納位置にあるとき、当該本体部と係合してロックするロック部と、前記本体部が前記格納位置から解除位置に揺動する際に初期位置から作動位置に移動して前記ロック部を作動させ、当該ロック部によるロックを解除し得る操作子とを備えたフットレストにおいて、前記操作子は、前記軸部を中心として揺動可能とされるとともに、前記ロック部を作動し得るアーム部が突出形成されたことを特徴とする。
【０００７】
請求項２記載の発明は、請求項１記載のフットレストにおいて、前記本体部は、当該本体部が前記格納位置から解除位置に揺動する過程で前記操作子とそれぞれ当接して前記作動位置まで移動させ得る複数の凸部が形成されたことを特徴とする。
【０００８】
請求項３記載の発明は、請求項２記載のフットレストにおいて、前記凸部は、前記本体部が前記解除位置から使用位置に揺動する過程で前記操作子とそれぞれ当接して前記初期位置まで移動させ得ることを特徴とする。
【０００９】
請求項４記載の発明は、請求項１〜３の何れか１つに記載のフットレストにおいて、前記本体部が前記格納位置から解除位置に揺動する際、前記操作子を移動させる前に当該本体部と当接して緩衝し得る緩衝部が配設されたことを特徴とする。
【発明の効果】
【００１０】
請求項１の発明によれば、操作子は、軸部を中心として揺動可能とされるとともに、ロック部を作動し得るアーム部が突出形成されたので、本体部と操作子が同一の軸部にてそれぞれ揺動し、当該操作子の揺動によりアーム部がロック部を作動させることができ、フットレストの小型化を図りつつ容易に操作子を精度よく作動させることができる。
【００１１】
請求項２の発明によれば、本体部は、本体部が格納位置から解除位置に揺動する過程で操作子とそれぞれ当接して作動位置まで移動させ得る複数の凸部が形成されたので、ロック部によるロックを解除する際の操作荷重を分散させることができ、操作性を向上させることができる。
【００１２】
請求項３の発明によれば、凸部は、本体部が解除位置から使用位置に揺動する過程で操作子とそれぞれ当接して初期位置まで移動させ得るので、ロック部によるロックを解除させる機能と、ロック解除後に操作子を初期位置に戻す機能とを凸部にて兼用させることができる。
【００１３】
請求項４の発明によれば、本体部が格納位置から解除位置に揺動する際、操作子を移動させる前に当該本体部と当接して緩衝し得る緩衝部が配設されたので、誤操作防止を図ることができるとともに、操作子に付与される衝撃を確実に抑制することができる。
【図面の簡単な説明】
【００１４】
【図１】本発明の実施形態に係るフットレスト（使用位置）を示す全体模式図
【図２】同フットレスト（格納位置）を示す全体模式図
【図３】同フットレストを示す分解斜視図
【図４】同フットレストによる動作を示すための図であって、本体部が格納位置にある模式図
【図５】同フットレストによる動作を示すための図であって、本体部が解除位置にある模式図
【図６】同フットレストによる動作を示すための図であって、本体部が使用位置且つ操作子が作動位置にある模式図
【図７】同フットレストによる動作を示すための図であって、本体部が使用位置且つ操作子が初期位置にある模式図
【図８】同フットレストにおける本体部を示す３面図
【図９】同フットレストにおけるロック部を示す４面図
【図１０】同フットレストにおける操作子を示す２面図
【図１１】同フットレストにおけるケース部を示す２面図
【図１２】同フットレストにおける緩衝部を示す２面図
【発明を実施するための形態】
【００１５】
以下、本発明の実施形態について図面を参照しながら具体的に説明する。
本実施形態に係るフットレストは、二輪車等の車両に取り付けられ、後部座席等に搭乗した人の足を載置可能なもので、図１〜３に示すように、使用位置（図１参照）と格納位置（図２参照）の間で切り替え可能とされた本体部１と、本体部１をロック可能なロック部２と、操作子３と、ロック部２及び操作子３等が収容されたケース部４と、該ケース部４に取り付けられるカバー部５と、緩衝部６とから構成されている。
【００１６】
本体部１は、車両に搭乗した人の足を載置可能な使用位置（図１参照）、格納された格納位置（図２参照）、及び格納位置から使用位置に向かう方向（図４中方向β）と異なる方向（本実施形態においては方向βと逆の方向α）にある解除位置（図５参照）の間で揺動可能なものである。そして、使用位置において車体から側方に向かって延設され、人の足を上部に載置可能とされるとともに、格納位置において車体に沿って延設されて格納されるようになっている。
【００１７】
かかる本体部１は、図８に示すように、ケース部４に形成された軸部Ｌに挿通可能な挿通孔１ａと、ロック部２の係止部２ａを係止可能な切欠き部１ｂとを有して構成されており、挿通孔１ａに軸部Ｌを挿通させることにより、使用位置、格納位置及び解除位置の間で揺動可能に支持されている。また、本体部１における挿通孔１ａの周囲には、後述する操作子３の被当接部３ｃ〜３ｆと当接し得る一対の凸部ａ、ｂが突出形成されている。
【００１８】
ケース部４は、車両の所定位置に固定されるもので、図３、１１に示すように、軸部Ｌが一体形成されるとともに、ロック部２及びスプリングＳ２を収容して組み付け可能な収容凹部４ａと、緩衝部６を取り付けて組み付け可能な取付凹部４ｂが形成されている。かかるケース部４は、その軸部Ｌに本体部１が取り付けられるとともに、後述するロック部２及び操作子３が収容可能とされている。
【００１９】
ロック部２は、図２に示すように、本体部１が格納位置にあるとき、当該本体部１の切欠き部１ｂと係合してロックするものであり、図９に示すように、切欠き部１ｂに対して出没可能な係止部２ａと、スプリングＳ２を収容し得る収容穴２ｂと、カム部２ｃとを有して構成されている。かかるロック部２及びスプリングＳ２は、ケース部４の収容凹部４ａ（図３、１１参照）に収容されており、スプリングＳ２の付勢力によってロック部２が本体部１の組み付け位置（軸部Ｌ）に向かって常時付勢されるようになっている。
【００２０】
操作子３は、本体部１が格納位置から解除位置に揺動する際に初期位置（図４参照）から作動位置（図５参照）に移動してロック部２を作動させ、当該ロック部２によるロックを解除し得るものであり、図１０に示すように、軸部Ｌを挿通可能な挿通孔３ａと、ロック部２を作動し得るアーム部３ｂとを有した板状部材から成る。すなわち、操作子３は、本体部１の揺動軸である軸部Ｌを中心に揺動し、初期位置と作動位置との間を移動可能とされているのである。
【００２１】
アーム部３ｂは、所定寸法に亘って側方に延設された部位から成り、操作子３が軸部Ｌを中心に揺動して、初期位置（図４（ｂ）参照）から作動位置（図５（ｂ）参照）に移動すると、突端部がロック部２のカム部２ｃに当接し、そのカム作用によって、当該ロック部２をスプリングＳ２の付勢力に抗して移動（係止部２ａが切欠き部１ｂから離間する方向に移動）させて本体部１に対するロックを解除させ得るよう構成されている。
【００２２】
さらに、操作子３は、本体部１が格納位置から解除位置に揺動する過程で当該本体部１の凸部ａ、ｂと当接し得る被当接部３ｃ、３ｄがそれぞれ形成されるとともに、本体部１が解除位置から使用位置に揺動する過程で当該本体部１の凸部ａ、ｂと当接し得る被当接部３ｅ、３ｆがそれぞれ形成されている。しかして、本体部１を格納位置から解除位置に揺動させると、凸部ａが被当接部３ｃ、凸部ｂが被当接部３ｄにそれぞれ当接し、操作子３を初期位置から作動位置に揺動させるとともに、本体部１を解除位置から使用位置に移動させる過程の使用位置近傍において、凸部ａが被当接部３ｅ、凸部ｂが被当接部３ｆにそれぞれ当接し、操作子３を作動位置から初期位置に揺動させることができる。
【００２３】
カバー部５は、本体部１の基端側（軸部Ｌによる支持側）及びロック部２、操作子３等を覆いつつケース部４に取り付けられるもので、スプリングＳ１（図３参照）を収容して組み付けられるよう構成されている。このスプリングＳ１は、一端が本体部Ｓ１に取り付けられるとともに他端がカバー５に取り付けられるトーションバネから成り、本体部１を使用位置に向かって常時付勢し得るものである。これにより、本体部１は、スプリングＳ１の付勢力にて使用位置に保持されるとともに、使用位置から格納位置、及び格納位置から解除位置に移動する際に当該スプリングＳ１の付勢力が付与されるようになっている。
【００２４】
緩衝部６は、図１２に示すように、ケース部４の取付凹部４ｂに取り付けられるゴム材や樹脂材等の弾性部材を所定形状に形成して成り、本体部１が格納位置から解除位置に揺動する際、操作子３を移動させる前に当該本体部１と当接して緩衝し得るものである。すなわち、本体部１を格納位置から解除位置に揺動する際、先ず当該本体部１が緩衝部６に当接して衝撃吸収が図られた後、凸部ａ、ｂが被当接部３ｃ、３ｄと当接して操作子３を揺動し得るようになっているのである。なお、緩衝部６は、衝撃を吸収して緩衝し得るものであれば、ゴム材や樹脂材等の弾性部材に限らず、スプリング等であってもよい。
【００２５】
次に、本実施形態に係るフットレストの作用について説明する。
本フットレストを使用しないとき、本体部１は、図４で示すように、本体部１が格納位置とされている。この格納位置においては、ロック部２の係止部２ａが本体部１の切欠き部１ｂに入り込んで係止した状態とされており、本体部１の解除位置側への移動（α方向の揺動）及び使用位置側への移動（β方向の揺動）が規制されてロックされている。
【００２６】
本フットレストを使用する際、軸部Ｌを中心として本体部１を解除位置に揺動（図４中α方向に移動）させる。このとき、本体部１は、緩衝部６と当接して衝撃吸収が図られた後、図５に示すように、凸部ａが被当接部３ｃ、凸部ｂが被当接部３ｄにそれぞれ当接し、軸部Ｌを中心として操作子３を初期位置から作動位置に揺動させる。そして、操作子３が初期位置から作動位置に揺動するのに伴ってアーム部３ｂが移動すると、その突端部がロック部２のカム部２ｃに当接し、カム作用によってロック部２をスプリングＳ２の付勢力に抗して移動させる。
【００２７】
しかして、ロック部２の係止部２ａが切欠き部１ｂから離間する方向に移動するので、本体部１に対するロック部２によるロックが解除されることとなり、本体部１を使用位置まで揺動させることができる。なお、本体部１が解除位置から使用位置に至るまでの間においては、操作部３が作動位置に保持されるとともに、凸部ａが被当接部３ｃから被当接部３ｅに向かって移動し、凸部ｂが被当接部３ｄから３ｆに向かって移動することとなる。
【００２８】
そして、本体部１が使用位置に至る前、図６に示すように、凸部ａが被当接部３ｅに、凸部ｂが被当接部３ｆに当接することとなり、その状態から更に使用位置まで本体部１を移動させると、図７に示すように、操作部３が初期位置まで揺動する。このとき、本体部１の移動に伴い切欠き部１ｂも移動しているため、ロック部２の係止部２ａは切欠き部１ｂに入り込むことがなく係止されない状態（ロック部２がスプリングＳ２の付勢力に抗して移動したアンロック状態）とされている。
【００２９】
以上により本体部１が使用位置に至ると、当該本体部１が車体より側方に延設して突出状態とされるので、車両に搭乗した人の足を載置することが可能とされる。なお、本体部１は、スプリングＳ２の付勢力により使用位置にて比較的強固に保持されるようになっており、誤って格納位置に揺動してしまうのを防止している。その後、再び本体部１を格納位置まで揺動させると、切欠き部１ｂがロック部２の位置に合致した時点で当該ロック部２がスプリングＳ２の付勢力にて移動し、係止部２ａが切欠き部１ｂに入り込んで係止することで本体部１がロックされる。
【００３０】
上記実施形態によれば、操作子３は、軸部Ｌを中心として揺動可能とされるとともに、ロック部２を作動し得るアーム部３ｂが突出形成されたので、本体部１と操作子３が同一の軸部Ｌにてそれぞれ揺動し、当該操作子３の揺動によりアーム部３ｂがロック部２を作動させることができ、フットレストの小型化を図りつつ容易に操作子３を精度よく作動させることができる。
【００３１】
また、本実施形態に係る本体部１は、本体部１が格納位置から解除位置に揺動する過程で操作子３とそれぞれ当接して作動位置まで移動させ得る複数の凸部（ａ、ｂ）が形成されたので、ロック部２によるロックを解除する際の操作荷重を分散させることができ、操作性を向上させることができる。なお、本実施形態においては、凸部が２つ（一対の凸部ａ、ｂ）とされているが、３つ以上形成されたものであってもよい。
【００３２】
さらに、本実施形態に係る凸部（ａ、ｂ）は、本体部１が解除位置から使用位置に揺動する過程で操作子３とそれぞれ当接して初期位置まで移動させ得るので、ロック部２によるロックを解除させる機能と、ロック解除後に操作子３を初期位置に戻す機能とを凸部（ａ、ｂ）にて兼用させることができる。なお、本実施形態においては、操作子３を初期位置から作動位置まで移動させる凸部と、作動位置から初期位置まで移動させる凸部とが共通のものとされているが、それぞれ別個の凸部としてもよい。
【００３３】
またさらに、本実施形態によれば、本体部１が格納位置から解除位置に揺動する際、操作子３を移動させる前に当該本体部１と当接して緩衝し得る緩衝部６が配設されたので、誤操作防止を図ることができるとともに、操作子３に付与される衝撃を確実に抑制することができる。なお、本実施形態に係る緩衝部６は、格納位置にある本体部１との間にクリアランスを有して配設され、本体部１が格納位置から解除位置に揺動する際、操作子３を移動させる前に当該本体部１と当接して緩衝し得るよう構成されているが、本体部１が格納位置にある状態で当該本体部１に当接した状態としてもよい。この場合、格納位置にある本体部１のガタを防止することができる。
【００３４】
以上、本実施形態について説明したが、本発明はこれに限定されるものではなく、例えば本体部が格納位置から解除位置に揺動する過程で操作子と当接して作動位置まで移動させ得る凸部が本体部に１つ形成されたもの、或いはケース部４に緩衝部６を有さないものとしてもよい。また、軸部Ｌは、本体部１及び操作子３に共用されるものであれば足り、ケース部４とは異なった位置に形成されたもの（例えば、車体に直接取り付けられた軸部等）であってもよい。なお、適用される車両は二輪車に限定されず、他の車両であってもよい。
【産業上の利用可能性】
【００３５】
操作子は、軸部を中心として揺動可能とされるとともに、ロック部を作動し得るアーム部が突出形成されたフットレストであれば、外観形状が異なるもの或いは他の機能が付加されたもの等にも適用することができる。
【符号の説明】
【００３６】
１    本体部
２    ロック部
３    操作部
４    ケース部
５    カバー部
６    緩衝部
ａ、ｂ  凸部
Ｌ    軸部
【図１】
0006309368.tif 000002
【図２】
0006309368.tif 000003
【図３】
0006309368.tif 000004
【図４】
0006309368.tif 000005
【図５】
0006309368.tif 000006
【図６】
0006309368.tif 000007
【図７】
0006309368.tif 000008
【図８】
0006309368.tif 000009
【図９】
0006309368.tif 000010
【図１０】
0006309368.tif 000011
【図１１】
0006309368.tif 000012
【図１２】
0006309368.tif 000013